Podtech/llm-jp-corpus-v4-ja_patent huggingface dataset:
(57)【要約】      （修正有）【課題】乾電池の放電を軽減する。【解決手段】乾電池１の放電を防ぐにはジャンパン線２（半導体）プラス、ケミコン３を使用し、予備の電池４を接続します。そうすると半自動制御的存在が有ります。乾電池の放電によりケミコンから電流が流れて、乾電池の電圧が多い時は予備の電池からは決して電流が流れません。【選択図】図３
2015038714.tif 000002
【特許請求の範囲】
【請求項１】
３のケミコン  ２のジヤンパン線  ５の半導体ダイオード  ３のケミコンがカギを握り、そしてジヤンパン線、半導体ダイオードで乾電池の放電を防ぎ、ケミコンの作動により補充するというのが私の特許です。  日本国内
【発明の詳細な説明】
【技術分野】
【０００１】
【背景技術】
【０００２】ケミコンを使用し、自動制御的な動作します。
【先行技術文献】
【特許文献】
【０００３】ケミコンには、それぞれ電気エネルギーが一定の場合決して電気エネルギーが流れません。それを使用しました。
【特許文献１】
【特許文献２】
【非特許文献】
【０００４】
【非特許文献１】
【非特許文献２】
【発明の概要】
【発明が解決しようとする課題】乾電池の放電を防ぐ活気的なもので有る。
【課題を解決するための手段】乾電池の放電は必らず有ります。ケミコンの作動範囲を利用して、予備の電池で補充します。
【発明の効果】
【図面の簡単な説明】
【図１】側面図
【図２】平面図
【図３】回路図
【発明を実施するための形態】
ケミコンの作動に大きなポイントが有り、予備のバッテリーを使用して、半動体ダイオードで逆流を防ぎ且、乾電池の電圧の容量を増します。
【実施例】
【産業上の利用可能性】社会的にも、あらゆる工業に於て第１の進歩で有る。
携帯電話のバッテリー補充にも使用できます。
【符号の説明】
【図１】
2015038714.tif 000003
【図２】
2015038714.tif 000004
【図３】
2015038714.tif 000005
【手続補正書】
【提出日】平成26年9月11日(2014.9.11)
【手続補正１】
【補正対象書類名】明細書
【補正対象項目名】全文
【補正方法】変更
【補正の内容】
【発明の詳細な説明】
【技術分野】
【０００１】この発明は、乾電池に補助バッテリーを設けた乾電池放電防止器に関するものである。
【背景技術】
【０００２】従来、乾電池と補助バッテリーは別々になっていた。
【先行技術文献】
【０００３】
【特許文献１】
【発明の概要】
【発明が解決しようとする課題】
【０００４】これは、次のような欠点があった。
従来、乾電池は自然放電をしてしまい、乾電池の電気エネルギーがなくなっていくので困ることが多かった。
本発明は、以上のような欠点をなくすためになされたものである。
【課題を解決するための手段】
【０００５】乾電池（１）乾電池（２）ジャンパー線（３）補助バッテリー（４）ケミコン（５）ダイオード２個をそれぞれ設けた。
本発明は、以上の構成よりなる補助バッテリーつき乾電池である。
【発明の効果】
【０００６】補助バッテリーが乾電池とひとつになり、ケミコンの持つ特性を生かして、乾電池の自然放電をそしするものである。
【図面の簡単な説明】
【０００７】
【図１】本発明の側面図である。
【図２】本発明の平面図である。
【図３】本発明の回路図である。
【発明を実施するための形態】
【０００８】以下、発明を実施するための形態について説明する。
乾電池（２）のジャンパー線（４）ケミコン（５）ダイオード（３）補助バッテリーを設けた。
本発明は以上のような構造である。
補助バッテリーがひとつがキーポイントになり、こりにより乾電池の電気容量が約束されます。
【産業上の利用可能性】
【０００９】バッテリーの自然放電をなくすることが一つのポイントになる。
非常時のバッテリー維持に、社会に無くてはならない、必需品になる。
工業分野において是非無くてはならない発明品である。
【符号の説明】
【０００１０】１  乾電池
２  ジャンパー線
３  補助バッテリー
４  ケミコン
５  ダイオード
(57)【要約】【課題】特別な専門知識がなくとも、携帯端末機用の地図アプリの作成と更新ができる地図アプリ作成システムを提供する。【解決手段】地図アプリ作成システムは、ＡＳＰサービスの複数の利用者がそれぞれ操作する複数の利用者端末機にて、提供されたツールを使用して地図上の経度緯度情報に紐付くコンテンツを簡単に登録し地図アプリとして生成することが出来る。また、利用者が作成した地図アプリを保存または更新するサーバーを設置することで簡単に地図アプリを更新することが出来る。【選択図】図１
2015038712.tif 000002
【特許請求の範囲】
【請求項１】
インターネットに接続された端末にて使用するツールであり、経度緯度情報に紐付く画像、テキスト、音声ＵＲＬ、動画ＵＲＬを前期ツールに登録し、ＧＰＳ機能搭載の携帯端末機内で閲覧可能な地図アプリを作成する機能を備え、前記地図アプリを更新用サーバーへ保存することで前記携帯端末機内へインストールされている地図アプリ内の経度緯度情報に紐付く画像、テキスト、音声ＵＲＬ、動画ＵＲＬを更新することを特徴とする地図アプリ作成システム。
【発明の詳細な説明】
【技術分野】
【０００１】本発明は、携帯端末機で使用される地図アプリに関する。
【背景技術】
【０００２】携帯端末機用の地図アプリは、Ａｎｄｒｏｉｄであればｊａｖａ、
ｉＯＳであればＯｂｊｅｃｔｉｖ−Ｃの開発環境と専門知識にて作成する。
また、地図アプリの容量内でコンテンツを登録し、
その更新には、地図アプリの再インストールを行う。
【発明の開示】
【発明が解決しようとする課題】
【０００３】１．携帯端末機用の地図アプリを作成するには、専用の開発環境と専門知識が必要である。
２．地図アプリの容量を超える動画、音声は使用できない。
３．地図アプリのコンテンツを更新するためには、再インストールが必要である。
【課題を解決するための手段】
【０００４】本発明は、以上の点を解決するために、次のような構成を採用する。
＜構成１＞
ＷｉｎｄｏｗｓＯＳ搭載のＰＣで動作する地図アプリ作成ツールを提供し、
ＰＣにツールをインストールすることで専門知識を必要とせず地図アプリを作成する
ことを特徴とする地図アプリ作成システム。
＜構成２＞
地図アプリで使用する音声・動画を保存しておく専用サーバーを設置することで、
地図アプリの容量に依存しない音声・動画を使用する地図アプリ作成システム。
＜構成３＞
地図アプリのコンテンツ更新用に専用サーバーを設置し、
地図アプリを専用サーバーへ上書き保存することで、
コンテンツの更新を行うことを特徴とする地図アプリ作成システム。
【発明を実施するための形態】
【０００５】図１に、地図アプリ作成システムの全体構成を示す。地図アプリ作成ツール１で地図アプリ２を作成する。動画・音声保存用サーバー３は、保存されている動画・音声を地図アプリ２から再生するためのものである。地図アプリ更新用サーバー４は、地図アプリ２のコンテンツを更新するためのものである。
【図１】
2015038712.tif 000003
【手続補正書】
【提出日】平成25年11月25日(2013.11.25)
【手続補正１】
【補正対象書類名】明細書
【補正対象項目名】全文
【補正方法】変更
【補正の内容】
【発明の詳細な説明】
【技術分野】
【０００１】本発明は、携帯端末機で使用される地図アプリに関する。
【背景技術】
【０００２】携帯端末機用の地図アプリは、Ａｎｄｒｏｉｄであればｊａｖａ、
ｉＯＳであればＯｂｊｅｃｔｉｖ−Ｃの開発環境と専門知識にて作成する。
また、地図アプリの容量内でコンテンツを登録し、
その更新には、地図アプリの再インストールを行う。
【発明の開示】
【発明が解決しようとする課題】
【０００３】１．携帯端末機用の地図アプリを作成するには、専用の開発環境と専門知識が必要である。
２．地図アプリの容量を超える動画、音声は使用できない。
３．地図アプリのコンテンツを更新するためには、再インストールが必要である。
【課題を解決するための手段】
【０００４】本発明は、以上の点を解決するために、次のような構成を採用する。
＜構成１＞
ＷｉｎｄｏｗｓＯＳ搭載のＰＣで動作する地図アプリ作成ツールを提供し、
ＰＣにツールをインストールすることで専門知識を必要とせず地図アプリを作成する
ことを特徴とする地図アプリ作成システム。
＜構成２＞
地図アプリで使用する音声・動画を保存しておく専用サーバーを設置することで、
地図アプリの容量に依存しない音声・動画を使用する地図アプリ作成システム。
＜構成３＞
地図アプリのコンテンツ更新用に専用サーバーを設置し、
地図アプリを専用サーバーへ上書き保存することで、
コンテンツの更新を行うことを特徴とする地図アプリ作成システム。
【発明を実施するための形態】
【０００５】図１に、地図アプリ作成システムの全体構成を示す。地図アプリ作成ツール１で地図アプリ２を作成する。動画・音声保存用サーバー３は、保存されている動画・音声を地図アプリ２から再生するためのものである。地図アプリ更新用サーバー４は、地図アプリ２のコンテンツを更新するためのものである。
【図面の簡単な説明】
【０００６】
【図１】・・・・・全体構成図
【符号の説明】
【０００７】    ・１の地図アプリ作成ツールとは、地図アプリ２を作成するためのＰＣで動作するツールである。
・２の地図アプリとは、１で作成された携帯端末機用の地図アプリである。
・３の動画・音声保存用サーバーとは、保存されている動画・音声を２から再生するためのものである
・４の地図アプリ更新用サーバーとは、２のコンテンツを更新するためのものである。
(57)【要約】      （修正有）【課題】インターネットからのウィルス感染を防ぐとともに、インターネット経由での情報漏えいを防ぐ。【解決手段】メインとサブふたつのパソコンをひとつにまとめる。また、パソコンの片方をインターネットに繋がない。光ディスクドライブ２にメインパソコン３をのせて取り付ける、サブパソコンを内蔵したモニター１を前面上部に取り付ける。あるいは光ディスクドライブにメインとサブふたつのパソコンを内蔵したモニターを前面上部に取り付ける。以上のように構成された、ダブルパソコン。【選択図】図１
2015038713.tif 000002
【特許請求の範囲】
【請求項１】
（図１）光ディスクドライブ（２）にメインパソコン（３）をのせて取り付ける、サブパソコンを内蔵したモニター（１）を前面上部に取り付ける。
【請求項２】
（図２）光ディスクドライブ（２）にメインとサブふたつのパソコンを内蔵したモニター（４）を前面上部に取り付ける。
以上のように構成された、ダブルパソコン。
【発明の詳細な説明】
【産業上の利用分野】
【０００１】  本発明は、デスクトップパソコンに関する。
【背景技術】
【０００２】  従来のパソコンはひとつの筐体にひとつのパソコン。
【発明が解決しょうとする課題】
【０００３】  メインとサブふたつのパソコンをひとつにまとめる。
【問題を解決するための手段】
【０００４】  （図１）光ディスクドライブ（２）にメインパソコン（３）をのせて取り付ける、サブパソコンを内蔵したモニター（１）を前面上部に取り付ける。
（図２）光ディスクドライブ（２）にメインとサブふたつのパソコンを内蔵したモニター（４）を前面上部に取り付ける。
【作用】
【０００５】  外部モニター又はテレビの横に本発明のダブルパソコンを置く、メインとサブふたつのパソコンと外部モニター（テレビ）をケーブルで繋ぎ、外部モニター（テレビ）のスイッチでふたつのパソコンを切り替える、モニター（１）もメインとサブふたつのパソコンをスイッチで切り替える。
インターネットを切断しているメインパソコンは、ウィルスに影響されない。
外部モニター（テレビ）がサブパソコンの画像を表示している時、モニター（１）はメインパソコンの画像を表示する、その逆もあり、メイン、サブパソコンの単独使用も出来る。
【実施例】
【０００６】以下、本発明の実施例について説明する。
（図１）光ディスクドライブ（２）にメインパソコン（３）をのせて取り付ける、サブパソコンを内蔵したモニター（１）を前面上部に取り付ける。
（図２）光ディスクドライブ（２）にメインとサブふたつのパソコンを内蔵したモニター（４）を前面上部に取り付ける。
メインとサブふたつのパソコンと外部モニターをケーブルで繋ぎ、外部モニターのスイッチでふたつのパソコンを切り替える、モニター（１）もメインとサブふたつのパソコンをスイッチで切り替える。
インターネットに繋がっているサブパソコン（１）と切断しているメインパソコン（３）にする。
【発明の効果】
【０００７】  本発明は、以上のような構成でこれを利用したメインパソコンは、インターネットを切断しているため、ウィルスに影響されない。
ＵＳＢメモリー等で、ウィルスに感染しても  インターネットを切断しているため、インターネット経由で情報が外部に漏れない。
【図面の簡単な説明】
【図１】  サブパソコンを内蔵したモニターと光ディスクドライブとメインパソコンを組み合わせた斜視図
【図２】  メインとサブパソコンを内蔵したモニターと光ディスクドライブを組み合わせた斜視図
【符号の説明】（１）サブパソコンを内蔵したモニター
（２）光ディスクドライブ
（３）メインパソコン
（４）メインとサブパソコンを内蔵したモニター
【図１】
2015038713.tif 000003
【図２】
2015038713.tif 000004
(57)【要約】【課題】レジ袋は開けづらい。そこで、開けやすいレジ袋を考案した。【解決手段】レジ袋の片面のみを、一部をカットして、レジ袋を開けやすくした。【選択図】図１
2015227211.tif 000002
【特許請求の範囲】
【発明の詳細な説明】
【技術分野】
【背景技術】
【先行技術文献】
なし
【特許文献】
【特許文献】なし
【非特許文献】
【非特許文献】なし
【発明の概要】
開けやすいレジ袋
【発明が解決しようとする課題】スーパーのレジ袋は開けづらい。とりわけ、年齢を重ねて手指の脂が少なくなってくると、レジ袋が開けづらく、思わず指を嘗めてレジ袋を開けてしまうとこも多い。そこで、開けやすいレジ袋を考案した。
【課題を解決するための手段】レジ袋の片面のみを、一部ハサミでカットして、レジ袋を開けやすくした。
【発明の効果】レジ袋を開ける手間がかからなくなる。
【図面の簡単な説明】
【図１】レジ袋を示した平面図である。
【実施例】次ページに記載
【産業上の利用可能性】スーパーマーケットのレジでの効率アップ
【符号の説明】
【受託番号】
【図１】
2015227211.tif 000003
【手続補正書】
【提出日】平成26年8月18日(2014.8.18)
【手続補正２】
【補正対象書類名】特許請求の範囲
【補正対象項目名】全文
【補正方法】追加
【補正の内容】
【特許請求の範囲】
【請求項１】
レジ袋の開口部中央の舌片状つまみ片の片側のみを段差状にカットした。
(57)【要約】      （修正有）【課題】組立も分解も子供から老人まででき、場所に合わせて移設でき、幅広く利用できる多目的箱型、簡易ボックスを構成できる固定板を提供する。【解決手段】開閉固定支柱１は、固定版に抜き穴を開き、開閉固定支柱１の上部４に固定板の抜き穴をはめこむ事で固定部５の状態におさめ、箱型の移設可能な簡易ボックスを構成する。【選択図】図２
2015227212.tif 000002
【特許請求の範囲】
【請求項１】
開閉固定支柱（１）に合わせた抜き穴（３）を固定部（５）にはめこむことで固定できる固定板である。
【発明の詳細な説明】
【技術分野】
【０００１】  この発明は、開閉固定支柱を固定する板である。
【背景技術】
【０００２】  従来、取付金具を緩めたり締めたりして、構造を固定したり分解したりする。
【先行技術文献】
【０００３】  発明の支柱に固定板をはめこむ事で、箱型に固定できる。
【特許文献１】
【非特許文献１】
【発明の概要】
【発明が解決しようとする課題】
【０００４】  従来、構造物は取付金具であるボルトを締め付けたり緩めたりして組立たり分解する為ほとんど同じ場所に設置して使用している。
本発明は、以上のような欠点を無くす為になされたものである。
【課題を解決するための手段】
【０００５】  発明の開閉固定支柱（１）に固定版（２）に抜き穴（３）を開き開閉固定支柱（１）の上部（４）に固定板の（２）をはめこむ事で固定部（５）の状態におさまる。
本発明は、以上の構造による固定板である。
【発明の効果】
【０００６】  開閉固定支柱の発明の支柱を固定する為に固定板をはさむ事で、箱の状態になる。
このため組立も分解も簡単で移設可能な簡易ボックスとし、様々な構成で幅広く利用できる。
【図面の簡単な説明】
【０００７】
【図１】  本発明の平面図である。
【図２】  本発明の正面図である。
【発明を実施するための形態】
【０００８】以下、本発明を実施するための形態について説明する。
発明の開閉固定支柱（１）に固定板（２）を支柱の上部（４）よりはめこむ事で、固定部（５）に固定でき、箱型として構成される。
【符号の説明】
【０００９】１  発明の開閉固定支柱
２  固定板
３  抜き穴
４  支柱の上部
５  固定部
６  囲い板
【図１】
2015227212.tif 000003
【図２】
2015227212.tif 000004
(57)【要約】【課題】  微弱な磁気ベクトルの変化に反応して方位磁針の針の向きが変わることを利用した、簡易な磁気ベクトル変位センサーを提供する。【解決手段】  方位磁針（１）の針（２）に反射板（３）を設け、光源（４）から放射された光を、反射板（３）での反射を経てスクリーン（５）で捉える構造となっており、磁気ベクトルの変化に応じた針（２）の振れ具合を、スクリーン（５）に映し出される光点（６）の動きから把握する構造からなる。【選択図】図２
2015227860.tif 000002
【特許請求の範囲】
【請求項１】
方位磁針を利用した磁気ベクトル変位センサー
【請求項２】
請求項１に記載の磁気ベクトル変位センサーに付随する、磁気ベクトル変化と振動を区別するための揺れ感知センサー
【発明の詳細な説明】
【技術分野】
【０００１】  この発明は、微弱な磁気ベクトルの変化に対応して方位磁針の針の向きが変わることを利用した簡易な磁気ベクトル変位センサーに関するものである。
【背景技術】
【０００２】  従来、微弱な磁気ベクトルの変化を感知する方法として、ホール素子、磁気トランジスタなどのセンサーを複数個組み合わせて行われるのが一般的であった。
【発明の開示】
【発明が解決しようとする課題】
【０００３】  しかし、従来の方法は磁気ベクトルを定量的に検出し、その変化量から磁気ベクトルの変化を検出する仕組みとなっており、微弱な磁気ベクトルの変化を検出するために精度を上げていくと、それに伴い構造が複雑となり、高価となっていく傾向があった。【０００４】  ここで、磁気ベクトルの微弱な変化の有無のみを検出しようと試みた場合、定量的な磁気ベクトル変化量の比較はさほど意味をもたず、すなわち、定量的磁気ベクトル変化量の比較をする機能を省略する代わりに、構造が簡易であるセンサーを用いる事で十分目的を果たすことが出来る。
しかしながら、このような磁気ベクトルの微弱な変化の有無のみを検出することを目的とした、適当なセンサーが見当たらないのが現状である。
【課題を解決するための手段】
【０００５】  請求項１に記載の本発明は、方位磁針（１）の針（２）に反射板（３）を設け、光源（４）から放射された光を、反射板（３）での反射を経てスクリーン（５）で捉える構造となっており、磁気ベクトルの変化に応じた針（２）の振れ具合を、スクリーン（５）に映し出される光点（６）の動きから把握する構造からなる磁気ベクトル変位センサーに関するものである。【０００６】  ここで、磁気ベクトル変位センサーの針（２）は磁気ベクトルの変化に加え、振動にも反応するため、針（２）の動作が何に起因するのか判別する仕組みが必要となる。【０００７】  請求項２に記載の本発明は、［０００６］段落に記載の課題を解決するためになされたもので、［０００５］段落に記載の内容と同構造でありながら、針（２）と形状、寸法及び重さが同程度で、非磁性材料で作られた針（７）に置き換えた、磁気ベクトルの変化には反応せず、振動のみに反応する揺れ感知センサーに関するものである。
【発明の効果】
【０００８】  本発明は、視覚ではとらえきれない程度の微弱な方位磁針の針の動きを、数倍から数十倍以上に拡大した光点の動きに変換することで、磁気ベクトルの微弱な変化の有無を検出する簡易なセンサーに関するもので、本発明により微弱な磁気ベクトル変化の有無の検出が容易に行えるようになる。
【発明を実施するための最良の形態】
【０００９】  以下、請求項１に記載の本発明を実施するための最良の形態について説明する。
方位磁針（１）の針（２）の中央部に光を反射する反射板（３）を水平面に対して若干の角度をつけて取り付ける。光源（４）を反射板（３）に光が当たるように設置する。光源（４）から放射された光は反射板（３）で反射し、スクリーン（５）に光点（６）を映し出す。針（２）が動くとそれに応じて光点（６）が動くため、スクリーン（５）により光点（６）の動きを検出することで、磁気ベクトルの変化の有無を把握することが出来る。【００１０】  ここで、光源（４）には光が拡散しないようにレーザー光源を用いる。また、スクリーン（５）には光センサー、光位置センサーなどを用いて光点の動きを信号に変換して検出するか、又は、ビデオカメラなどにより映像として記録し検出する方法が考えられる。一方、検出感度は反射板（３）とスクリーン（５）の距離を大きくすれば感度が上がる一方、光点（６）の動作範囲が広くなるため、より大きなスクリーンが必要となる。【００１１】  スクリーン（５）に単体の光センサーを用いる場合、反射板（３）とスクリーン（５）の距離は数センチメートル程度までが適しており、この場合磁気ベクトルの変化の有無を検出する最も簡易な構造のセンサーで、スイッチの用途として用いられる。【００１２】  スクリーン（５）に単体の光位置センサーを用いる場合、反射板（３）とスクリーン（５）の距離は１メートル程度までが適しており、この場合磁気ベクトルの変化の有無だけでなく、光点の振幅、動作方向を数値で把握することが出来る。光点の振幅、動作方向は磁気ベクトルの向き及び大きさの変化量に関連するため、光点の振幅、動作方向を解析することにより、磁気ベクトル変位の発生源解析に応用することが可能である。【００１３】  スクリーン（５）にビデオカメラなどの録画機器を用いる場合、反射板（３）とスクリーン（５）の距離は数メートル以上離しても観測は可能であり、より高感度で磁気ベクトル変化の有無を検出可能である。【００１４】  以下、請求項２に記載の本発明を実施するための最良の形態について説明する。
構造は［０００９］段落で記載の内容と同構造とするが、針（７）は［０００９］段落に記載の針（２）と形状、寸法及び重さが同程度で、非磁性材料で作られたものを用いる。また、針（７）は固定ひも（８）により方位磁針（１）につながれており、動作範囲は限られたものとなっている。
針（７）は非磁性材料で出来ているため、磁気ベクトルの変化には反応せず振動のみに反応して動作する。針（７）が振動により振れた場合、それに応じて光点（６）が動くため、スクリーン（５）により光点（６）の動きを把握することで振動の有無を検出することが出来る。【００１５】  ［０００９］段落に記載の磁気ベクトル変位センサーと［００１４］段落に記載の揺れ感知センサーを比較観察し、磁気ベクトル変位センサーの光点が動作し、揺れ感知センサーの光点が動作しなかった場合、磁気ベクトルの変化があったものと推定することが出来る。
【図面の簡単な説明】
【００１６】
【図１】  磁気ベクトル変位センサー平面図
【図２】  磁気ベクトル変位センサー断面図
【図３】  揺れ感知センサー平面図
【図４】  揺れ感知センサー断面図
【符号の説明】
【００１７】  １  方位磁針
２  針
３  反射板
４  光源
５  スクリーン
６  光点
７  針
８  固定ひも
【図１】
2015227860.tif 000003
【図２】
2015227860.tif 000004
【図３】
2015227860.tif 000005
【図４】
2015227860.tif 000006
(57)【要約】【課題】  従来、オーステナイト系ステンレス鋼に発生する疲労破壊を検出するためには浸透探傷またはＸ線探傷が用いられてきたが、表面開口していない疲労破壊を検出するのは困難であり、また、現場での調査が難しいなどの課題があった。本発明では、オーステナイト系ステンレス鋼に疲労破壊が発生した場合、その近傍の磁性が変化する性質を利用したオーステナイト系ステンレス鋼に発生する疲労破壊を検出する装置及び同装置を用いた疲労破壊を検出するための方法を提供する。【解決手段】  ケース（１）に磁石（２）、磁気センサー（３）を設置し、電源（４）、表示部（５）から構成されるオーステナイト系ステンレス鋼用表面走査型疲労破壊検出装置を用い、オーステナイト系ステンレス鋼部材の健全部及び疲労破壊部の磁気計測値の比較により疲労破壊を検出することを特徴とする。【選択図】図１
2015227861.tif 000002
【特許請求の範囲】
【請求項１】
オーステナイト系ステンレス鋼用表面走査型疲労破壊検出装置及び同装置を用いた疲労破壊検出方法
【発明の詳細な説明】
【技術分野】
【０００１】  この発明は、オーステナイト系ステンレス鋼に発生する疲労破壊を検出するための表面走査型疲労破壊検出装置に関するものであり、また、同装置を用いたオーステナイト系ステンレス鋼に発生する疲労破壊を検出するための方法に関するものである。
【背景技術】
【０００２】  従来、オーステナイト系ステンレス鋼に発生する疲労破壊を検出するには浸透探傷による方法またはＸ線を用いた方法が一般的であった。
【発明の開示】
【発明が解決しようとする課題】
【０００３】  しかし、いずれの方法も疲労破壊の有無を調べるためには手間がかかり、また、浸透探傷による方法では、表面に開口していない疲労破壊は検出できず、一方のＸ線を用いる方法は専用の大型装置を必要とするため、現場などでの調査は難しいという問題があった。【０００４】  本発明はこれらの課題を解決するためになされたもので、オーステナイト系ステンレス鋼に疲労破壊が発生した場合、その近傍の磁性が変化する性質を利用した疲労破壊を検出する装置及び同装置を用いた疲労破壊を検出するための方法に関するものである。
【課題を解決するための手段】
【０００５】  請求項１に記載の本発明は、ケース（１）の内部に磁石（２）、磁気センサー（３）を設置し、電源（４）及び表示部（５）から構成されるオーステナイト系ステンレス鋼用表面走査型疲労破壊検出装置であり、また、同装置を用いた疲労破壊を検出するための方法に関するものである。
【発明の効果】
【０００６】  本発明により、オーステナイト系ステンレス鋼に発生する疲労破壊について、表面に開口しているか否かに関わらず、現場で容易に調査することができるようになる。また、疲労破壊が発生する場所があらかじめ特定できる場合には、本発明による検出装置を事前に設置しておくことで、いままで困難であったオーステナイト系ステンレス鋼に発生する疲労破壊の有無について常時監視することが可能となる。
【発明を実施するための最良の形態】
【０００７】  以下、請求項１に記載の本発明を実施するための最良の形態について説明する。
ケース（１）内部に磁石（２）と磁気センサー（３）を１ｍｍ程度の間隙を設けて設置し、電源（４）及び磁気センサーの計測値を表示する表示部（５）から構成されるオーステナイト系ステンレス鋼用表面走査型疲労破壊検出装置である。
ここで、磁石（２）にはネオジム磁石などの強力な磁石を使用する。【０００８】  また、請求項１に記載の本発明は、［０００７］段落に記載のオーステナイト系ステンレス鋼用表面走査型疲労破壊検出装置を用いて疲労破壊を検出するための方法に関するもので、オーステナイト系ステンレス鋼の材質でできている被検査部材（６）の表面をオーステナイト系ステンレス鋼用表面走査型疲労破壊検出装置で走査する。
被検査部材（６）に疲労破壊が発生している場合、疲労破壊近傍の磁性が非磁性体から強磁性体に変化し、磁石（２）の影響による磁場（７）の分布が健全部に比べて変化する。その場合、磁気センサー（３）で計測され、表示部（５）に示される磁気の値が健全部に比べ異なる数値を示す。
被検査部材（５）の全面にわたりオーステナイト系ステンレス鋼用表面走査型疲労破壊検出装置を用いて走査し、表示部（５）に示される磁気の値が周囲に比べ異常値をとる場合、その近傍に疲労破壊が発生している可能性が高いと推測することができる。【０００９】  また、疲労破壊が発生する場所があらかじめ特定できる場合には、事前にオーステナイト系ステンレス鋼用表面走査型疲労破壊検出装置を当該個所に設置しておき、表示部（５）に示される磁気の値が設置当初と比べ異常値となった場合、その近傍に疲労破壊が発生した可能性が高いと推測することができる。
【図面の簡単な説明】
【００１０】
【図１】  本発明の断面図である。
【図２】  本発明のシステム図である。
【符号の説明】
【００１１】  １  ケース
２  磁石
３  磁気センサー
４  電源
５  表示部
６  被検査部材
７  磁場
【図１】
2015227861.tif 000003
【図２】
2015227861.tif 000004
(57)【要約】      （修正有）【課題】炊事調理の洗浄作業の効率化ができる流し台シンク用パイプシャワー装置を提供する。【解決手段】従来の流し台シンク１の場合には水道カラン３に二股のソケットカランを取り付け流し台シンク周り１のパイプシャワー２につなぐことにより、水道水を供給してシンクの洗浄をする。新設の流し台シンク１には最初からパイプシャワー２を取り付けることができる。流し台シンク１周りにパイプシャワー２を取り付けることにより，両手作業ができ流し台シンク１周り全体をまんべんなく洗浄ができ、洗浄作業が短縮し手間を省くことができる。その時間内は、ほかの作業ができ炊事、調理作業の効率化を図ることができる。【選択図】図１
2015227603.tif 000002
【特許請求の範囲】
【請求項１】
既存の流し台シンク周りにブラケットでパイプシャワーを取り付けシンク縦壁面方向斜めに水圧をかけでシンク内の洗浄をするものである。
【請求項２】
新規流し台にはパイプシャワーを最初から取り付けができる
【発明の詳細な説明】
【発明の概要】
【発明が解決しようとする課題】流し台シンク内の洗浄
【課題を解決しようとする手段】
流し台シンクの内周りに数ｍｍの穴あけたパイプを取り付け流水で洗い流す
【発明の効果】
取り付けた止水栓を開けば流水が流れ、その間はその他の作業ができ  作業効率が上がると思われる
【図面の簡単な説明】「流し台シンク用パイプシャワー装置」
【図１】図面１の１のシンクにブラケットで２のパイプシャワーを取り付ける。
【図２】図２は既存の流しのシンクに取り付つけ方法
【図３】パイプ取り付け詳細
【図４】新設流し台シンクの詳細
【発明の詳細な説明】
【産業上の利用の可能性】
【０００１】  本発明は炊事調理作業分野における、省力化になるものである。
【背景技術】
【０００２】従来の流し台シンクの洗浄は片手にシャワーホースを持って洗う方法しかなかった。
【発明が解決しようとする課題】
【０００３】流し台シンク周りにパイプシャワーを取り付けることにより，両手作業ができ流し台シンク周り全体をまんべんなく洗浄でき  その時間内はほかの作業ができ  流し台シンク周りの炊事、調理作業効率化になる。
【課題を解決するための手段】
【０００４】従来の流し台シンクの場合には水道カランに二股のソケットカランを取り付け流し台シンク周りのパイプシャワーにつなぐことにより水道水を供給してシンクの洗浄をする。新設の流し台シンクには最初からパイプシャワーを取り付けることができる。
【作用】
【０００５】  上記のように構成された流し台シンク周りにパイプシャワーで手間なく流し台シンク周り洗浄作業ができる
【実施例】
【０００６】  図面１の１のシンクにブラケットで２のパイプシャワーを取り付ける。【０００７】３カランに給水管５を取り付け４止水栓を解放すると７流水が流し台シンクの面を洗浄できる。流水は６排水口に流れる
【図１】
2015227603.tif 000003
【図２】
2015227603.tif 000004
【図３】
2015227603.tif 000005
【図４】
2015227603.tif 000006
(57)【要約】      （修正有）【課題】置き場所に困らず、必要な脚数を必要な個所に設置することができる脚立を提供する。【解決手段】脚立両足の片方を飾り面１にすることで、壁に掛けても違和感が無いように工夫をし、もう一方は脚立機能を保ったまま折りたためる機能にして、飾り面１の裏側の凹みスペース２の内側に納まる脚立とした。脚立は、最上の天板１２の片方と脚足１１の角度を維持するアーム７の一端を凹みスペース２に軸可動で納まるように固定し、脚足１１側にも軸可動で折りたためる仕様にすることで、脚足１１上部の手前を持って上げながら凹みスペース２に納まる構成とした。【選択図】図３
2015227602.tif 000002
【特許請求の範囲】
【請求項１】
脚立の片方は、踏み段を設け上り降りを可能にする。他の片方は面状にして絵画など飾りが出来る面とする。飾り面の裏面は凹みのスペースにして脚立側を折りたたみながら納まる収納庫にした。
上記を可能にするために、踏み段の最上天板の両辺と、足の開き角度を一定に保持するアームの両辺を、動き可能な固定方法に工夫することで収納を可能にした壁飾りになる脚立。
【発明の詳細な説明】
【技術分野】
【０００１】  本発明は、脚立両足の片方は、従来と同じ上り降りに使う形状とし、片方は飾りなどがでる形状にする。違う用途を一体にするために、飾り面の裏側には脚立を折り畳みながら収納できる、凹みスペースを設け側面から見ても凸ない様に一体化したことで、壁に掛けても違和感なく飾れる脚立に関するものである。
【背景技術】
【０００２】  従来の脚立は、高所の物品の上げ降ろしに使うだけであった。
【先行技術文献】
【特許文献】
【０００３】
【特許文献１】特開２００７−１２６８６１  公報
【発明の概要】
【発明が解決しようとする課題】
【０００４】  今までの脚立は置き場所に困り、一脚の常備で、使いまわしをして危険度も多いのが現状だった。
本発明は、以上の問題点を解決するためになされものである。
【課題を解決するための手段】
【０００５】  脚立両足の片方を飾り面にすることで、壁に掛けても違和感が無いように工夫をし、もう一方は脚立機能を保ったまま折りたためる機能にして、飾り面の裏側の凹みスペースの内側に納める。
二分した用途を一体にする工夫は、最上の天板の片方と脚立足の角度を維持するアームの片方、各々の一端を凹みスペースに軸可動で納まるように固定し、脚立足側にも軸可動で折りたためる仕様にすることで、脚立上部の手前を持って上げながら凹みスペースに納める。
以上の構成よりなる脚立。
【発明の効果】
【０００６】  置き場所に困り、一脚の常備で使いまわしのため、危険が多かったが壁に掛けることで必要な脚数を必要な箇所に設置する事が可能となり、危険も軽減され、安全性と利便性が良くなり、壁も有効利用ができる。
【図面の簡単な説明】
【０００７】
【図１】本発明の壁飾りの設置前の状態を示す図
【図２】本発明の設置状態を示す図
【図３】本発明の使用状態を示す斜視図
【発明を実施するための形態】
【０００８】  以下に、本発明の実施の形態を説明する。
（イ）飾り面（１）と脚立（３）との形態となる。
（ロ）飾り面（１）は絵画など多目的なスペースである。
（ハ）脚立（３）の脚足の角度維持アーム（７）はアーム受け（９）に接続され、一方の可動金具（１０）と共に、飾り面（１）裏の凹みの定位置に固定する。
（ニ）安全を保持するために、補強材（４）保持軸（６）と角度維持アーム（７）を保持するアーム受け（９）を設ける
（ホ）アーム受け（９）可動金具（１０）を凹スペース（２）の所定の位置に固定する事で一体化とる。
以上のような構造である。
本発明を使用するときは、天板（１２）の手前を持ち上げれば折りたたみながら凹スペース（２）に収納できる。天板（１２）の幅と角度維持アーム（７）の幅の差はスライド部（８）で吸収できる。
飾り面（１）を壁掛けにすることで必要な箇所に設置が出来、収納スペースを利用した飾り棚として利用できる。
【符号の説明】
【０００９】  （１）飾り面          （２）凹みスペース    （３）踏み段
（４）補強材          （５）掛け金具        （６）保持軸
（７）角度維持アーム  （８）スライド部      （９）アーム受け
（１０）可動金具      （１１）脚足          （１２）天板
（１３）壁
【図１】
2015227602.tif 000003
【図２】
2015227602.tif 000004
【図３】
2015227602.tif 000005
(57)【要約】【課題】  タンク内の液体に、スロッシングが発生しないようにした、タンク内の液体分散機を提供する。【解決手段】  タンク本体の中央内部の縁下部にポリエチレン製を主体とした横桝を架け、底部に受け台を設け、前記ポリ横桝の中間部に抜け通しのネジ状口を設け、上下部に山ネジを形成した挟み軸に設け、前記挟み軸に回転不能の、プロペラ形状の波切り羽をそれぞれ形成し、油液をスロッシングにならないようにすることを特徴とするタンク内に於ける液体分散機。【選択図】図１
2015086004.tif 000002
【特許請求の範囲】
【請求項１】
タンク本体の中央内部の縁下部に、ポリエチレン製を主体とした横桝を架け、底部に受け台を設け、前記ポリ横桝の中間部に抜け通しのネジ状口を設け、上下部に、山ネジを形成した挟み軸に設け、前記挟み軸に回転不能の、プロペラ形状の波切り羽をそれぞれ形成し、油液をスロッシングにならないようにすることを特徴とするタンク内に於ける液体分散機。
【発明の詳細な説明】
【技術分野】
【０００１】  本発明は、タンク内の液体に、スロッシングが発生しないようにした、タンク内に於ける液体分散機に関するものである。
【背景技術】
【０００２】  従来製油所で原油精製物ナフサタンク内の液面に蓋をする浮き屋根装置であった。海面が大時化になると、恐るべき三角状の波が発生し、道路に押し寄せ、高さ２０メートル以上になる。これを防止するため道路下に波砕くコンクリートのブロックを積み重ねている。
【発明の概要】
【発明が解決しようとする課題】
【０００３】そのために、次のような問題点があった。
（イ）タンク内の油液面に浮かべて蓋をする浮屋根が揺れ、付属設備とぶつかるなどして    出た火花が油に引火して大火災を起していた。
（ロ）火災を機に全国で千基以上の同一タンクがあり、消防庁は早く計画的に進めてほし    いと言われていた。またタンク内に入れた油液を超地震により恐るべき三角状の波が    発生している。
本発明は、以上の問題点を解決しようとするものである。
【課題を解決するための手段】
【０００４】  タンク本体中央内部の縁部下にポリエチレン製を主体とした横桝を架け底部に受台を設け、前記ポリ横桝の中間部に抜け通しのネジ状口を設けている。上下部に山ネジを形成した挟み軸に設け、この挟み軸に回転不能の、プロペラ形状の波切り羽をそれぞれ形成する。
以上を特徴とするタンクに於ける液体分散機である。
【発明の効果】
【０００５】  本発明は、スロッシングによる油液が波立つしないように、また浮き屋根を補強するのに一基１億円の工事費の高さの、浮き屋根にこだわらず、薄形のポリ羽を、タンク内に取り付けることにより、震度６・７以上でも波立つしない。小型模型の実験科学に於いて、上下、左右地震の揺らすに対し最大の効果を発揮するものである。
【図面の簡単な説明】
【０００６】
【図１】  本発明の実施形態を示すスロッシング防止装置の斜視図
【図２】  本発明のタンクと従来タンクの比較に於ける一部欠き斜視図
【図３】  本発明の挟み軸の斜視図
【発明を実施するための最良の形態】
【０００７】以下、本発明の実施の形態を図１〜図３に基いて説明する。
（イ）挟み軸（４）の両先端部に形成したネジ（４ａ）を、横桝（２）中心部のネジ状口      に取り付け、抜け出た一方のネジ（４ａ）を、逆回転し、タンク本体（１）の受け      台（６）のネジ状口に取り付ける。
（ロ）板状波切り羽（３ａ）の右側面に、波切り羽（３）を入れ左側に波切り羽（３）を      入れ、前記羽を組立てて挟み軸（４）に設ける。
（ハ）波切り羽は、タンク本体（１）の内側面より距離をあける。
本発明は、以上の構成よりなっている。
本発明を使用するときは、上記の挟み軸の両先端部に、山ネジを形成する。そしてネジ状口の抜けネジを形成し、その中に、ポリ挟み軸に形成した、山ネジを抜け通し、抜き出た山ネジを逆回転する。逆回転するにより、一方の山ネジを、タンク本体底の中央部に設けた、受け台（６）のネジ状口に、ネジ込みしてポリ挟み軸を形成し、ポリ波切り羽を挟みして構成されている。
三角状の荒波により、付属設備などに浮き屋根がぶつかりなどして、火花が油に引火して大火災を起しているのである。海岸に住居する人民にとり、台風の大時化による三角状の荒波に脅えているのが、タンク内に起きている。スロッシングが原因とされ注目を集め，危機感を強めているのである。したがって、タンク内の油液を自動的に分散するのが効果を発揮する。以上のように、本実施形態によればスロッシングを発生させない効果が得られるものである。
【発符号の説明】
【０００８】  １    タンク本体
２    ポリ横桝
３ａ  板形波切り羽
３    波切り羽
４    挟み軸
４ａ  山ネジ
５    ナット
６    受け台
７    屋根
８    設置具
９    浮き屋根
１０    超地震の三角状波
【図１】
2015086004.tif 000003
【図２】
2015086004.tif 000004
【図３】
2015086004.tif 000005
(57)【要約】      （修正有）【課題】破損しやすい製品を運搬及び保管するために、新聞紙や古紙保護材を紐やテープで留めていた従来の方法に代えて、製品の包装を装着脱着が簡単で多用途に応用出来るホックボタン付き保護ネットを提供する。【解決手段】柔軟で伸縮性のある樹脂材の様な素材を用いた細い平ベルト１を、一定間隔で無数に並列させ、異なる二つの並列群を交差させる形で、縦横それぞれ規則的な間隔で重なり合うクロス部５が形成されている長い幅広ネットを成形し、長手縁辺には両側共に等しく縁取り部２を形成し、全てのクロス部５、及び縁取り部２における平ベルト１との交差部には、それぞれ表裏両側から凹凸が背中合わせになるように一体成形されたホックボタンを設置することを特徴とするホックボタン付き保護ネット。【選択図】図１
2015086002.tif 000002
【特許請求の範囲】
【請求項１】
柔軟で伸縮性のある樹脂材のような素材を用いた細い平ベルトを、一定間隔で無数に並列させ、異なる二つの並列群を交差させる形で、縦横それぞれ規則的な間隔で重なり合うクロス部が形成されている長い幅広ネットを成形し、長手縁辺には両側共に等しく縁取り部を形成し、全てのクロス部及び縁取り部における平ベルトとの交差部には、それぞれ表裏両側から凹凸が背中合わせになるように、一体成形されたホックボタンを設置することを特徴とするホックボタン付き保護ネット。
【発明の詳細な説明】
【技術分野】
【０００１】  本発明は、破損しやすい製品を保護するため、簡単に装着脱着ができるホックボタンを設けた保護ネットに関するものである。
【背景技術】
【０００２】  従来、破損しやすい製品を運搬及び保管しておくため保護する手段として、新聞紙や古紙古布保護材で包装し紐やテープで留めていた。
【先行技術文献】
【０００３】
【発明の概要】
【発明が解決しようとする課題】
【０００４】  （イ）  破損しやすい製品を新聞紙古紙古布保護材で包装し、使用したあとは再利用せずゴミとして破棄していた。
（ロ）  包装の作業に時間を要していた。
本発明は、以上の問題点を解決するためになされたものである。
【課題を解決するための手段】
【０００５】  柔軟で伸縮性のある樹脂材のような素材を用いた細い平ベルトを、一定間隔で無数に並列させ、異なる二つの並列群を交差させる形で、縦横それぞれ規則的な間隔で重なり合うクロス部が形成されている長い幅広ネットを成形し、長手縁辺には両側共に等しく縁取り部を形成する。全てのクロス部、及び縁取り部における平ベルトとの交差部には、それぞれ表裏両側から凹凸が背中合わせになるように一体成形されたホックボタンを設置する。
本発明は、以上のような構造的特徴を持つところのホックボタン付き保護ネットである。
【発明の効果】
【０００６】  （１）ネットの特性が様々な形状の製品に対応できる。
（２）ホックボタンで装着脱着が容易であるため作業の手間が軽減され時間も短縮される
（３）非常に長く形成されたものでもロール状に保管することができ、サイズや形を自由にハサミでカットし、様々な用途に使用できる。
（４）実際の使用時に、万一サイズが足りない時は不足分をカットし補うことが出来る。
（５）保護ネットの各ネット片は、各々のホックボタン凹面と凸面を交互に重ね合わせ留めすれば、シート状や筒状等の連結が自由なので応用範囲が拡がる。
（６）脱着後再使用ができるのでエコである。
【図面の簡単な説明】
【０００７】
【図１】  本発明の斜視図
【図２】  本発明の実地例を示す斜視図
【図３】  本発明の別の実施例（連結利用）を示す斜視図
【発明を実地するための形態】
【０００８】  以下、本発明の実施の形態を説明する。
柔軟で伸縮性のある樹脂材のような素材を用いた細い平ベルト（１）を、一定間隔で無数に並列させ、異なる二つ並列群を交差させる形で、縦横それぞれ規則的な間隔で重なり合うクロス部（５）が形成されている長い幅広ネットを成形し、長手縁辺には両側共に等しく縁取り部（２）を形成する。全てのクロス部（５）及び縁取り部（２）における平ベルト（１）との交差部には、それぞれ表裏両側から凹凸が背中合わせになるように一体形成されたホックボタン凹（３）及びホックボタン凸（４）を設置する。
本発明は、以上のような構造であり、以下本発明の実際の使用例を説明する。
製品の形状やサイズに合わせて必要な長さの目処をつけ、ホックボタンの間を縫うようにハサミでカットし、製品に密着させるように抑えながら包み、残った部分のホックボタンをしっかり留める。また、図３の使用例を図１の長広サイズにカットしたもので包み込むようにすれば、個別に保護された一本一本の瓶が多数一体に束ねられるので倒れにくく、割れにくく、安定性が強固なものになる。
【符号の説明】
【０００９】１  平ベルト
２  縁取り部
３  ホックボタン凹
４  ホックボタン凸
５  クロス部
【図１】
2015086002.tif 000003
【図２】
2015086002.tif 000004
【図３】
2015086002.tif 000005
(57)【要約】【課題】  従来の利便性を失わないで設置面を小さくしたティッシュペーパーを提供する。【解決手段】  ティッシュペーパーの積層した束の縦の辺と箱の縦の辺（９）を同等にした直方体の側面の片側寄り（３）に縦長の取り出し口（１）を開け、積層したティッシュペーパーの先端の切り口（６）を揃えて、取り出し口がある側面の取り出し口のない方（４）に押し当て、ティッシュペーパーが底面に立つように内側壁に沿って入れ込み、束の内側（８）から一組ずつ抜きとって使用することを特徴とする。【選択図】図１
2015086001.tif 000002
【特許請求の範囲】
【請求項１】
ティッシュペーパーの積層した束の縦の辺と箱の縦の辺（９）を同等にした直方体の側面の片側寄り（３）に縦長の取り出し口（１）を開け、積層したティッシュペーパーの先端の切り口（６）を揃えて、取り出し口がある側面の取り出し口のない方（４）に押し当て、ティッシュペーパーが底面に立つように内側壁に沿って入れ込み、束の内側（８）から一組ずつ抜きとって使用することを特徴とする縦型曲げ入れ式ティッシュペーパー。
【発明の詳細な説明】
【技術分野】
【００１】  この発明は従来の利便性を失わないで設置面を小さくしたティッシュペーパーの箱と入れ方に関する物である。
【背景技術】
【００２】  現在市販されているティッシュペーパーは使用するときに置き場所を広く必要とする物であるか、あるいは置き場所を小さくした物は箱の大きさに比べて収納枚数が少ない物である。
【発明の概要】
【発明が解決しようとする課題】
【００３】  これは次のような欠点があった。
従来のティッシュペーパーは使用する時に、置き場所を広く必用とし取り出し口も上向きにしか置くことができなかった。また、置き場所を考慮し底面を小さくしたものは、収納枚数が少ない。
本発明は以上のような両方のそれぞれの欠点を補い、そして従来の利便性を失わないようになされたものである。
【課題を解決するための手段】
【００４】  箱は立方体に近い直方体にして、取り出し口（１）は箱の側面（２）の片側寄り（３）に上から下に縦長に開ける。ティッシュペーパーの詰め込み方は積層した束（６〜７）を横長にして、底面に直立するように立たせ、箱の内側壁に沿わせて曲げて入れ込み上面をかぶせる。
本発明は以上の構成からなる縦型曲げ入れ式ティッシュペーパーである。
【発明の効果】
【００５】  立方体に近い直方体の箱にすることによって、設置面が小さくなり置き場所を広く必要としない。
体型を変えたにもかかわらず曲げて入れることにより、従来のものとほぼ同体積の箱で、同じ枚数のティッシュペーパーを収納できる。
折り曲げたティッシュペーパーの内側から抜きとって使用するので次に出るティッシュペーパーが内側の空洞（５）を埋め倒れても内側が安定している。また、使い初めから使い終わるまで一組ずつ取り出すことができ、従来の利便性をも失っていない。
取り出し口を上向きにしたり横向きにしたりして使用することができる。
現在ティッシュペーパーとして流通している紙をそのまま使用できる。
【図面の簡単な説明】
【００６】
【図１】  ティッシュペーパーを箱に入れた状態の本発明の斜視図である。
【発明を実施するための形態】
【００７】  以下、本発明を実施するための形態について説明する。
箱は立方体に近い直方体にし、設置面を小さくして、箱の縦の辺（９）を高くしてその高さはティッシュペーパーの束の縦の辺と同じにする。
ティッシュペーパーの取り出し口（１）は箱の側面（２）の片側寄り（３）に上から下へ縦長に開ける。
箱に入れるティッシュペーパーは連続して取り出せるように縦半分に折り、交互に抱き合わせて積層した束を使用する。
ティッシュペーパーの入れ方はティッシュペーパーの積層した束を横にして、ティッシュペーパーの先端切り口（６）を揃えて、取り出し口がある側面の取り出し口がない方（４）の内側に押し当て、ティッシュペーパーが底面に立つように、箱の内側壁に沿わせて入れる。末端の切り口（７）は揃えないで自然に収める。
最後に上面をかぶせる。
本発明は以上のような構造である。
本発明を使用するときは取り出し口（１）を上向きにしたり横向きにしたりすることができる。
最初にティッシュペーパーを取り出すときは、取り出し口（１）から指を入れティッシュペーパーの内側の一組を引き出せばよい。二回目からは次に出てくるティッシュペーパーの一部が覗いているので連続して取り出すことができる。
【符合の説明】
【００８】１  取り出し口
２  箱の側面
３  側面の片側寄り
４  取り出し口がある側面の取り出し口がない方
５  空洞
６  ティッシュペーパー先端の切り口
７  ティッシュペーパー末端の切り口
８  束の内側
９  箱の縦の辺
【図１】
2015086001.tif 000003